(57)【特許請求の範囲】
【請求項１】
梯子用側板（２）の前後面及び側方外面を覆う平面視コ字状のボディ（５）を、側板（２）に対して着脱可能に設け、軒上にかける上アーム（７）の一端部をボディ（５）の側方外側に対して回転可能に軸止し、ボディ（５）との干渉によって上アーム（７）の回転範囲を規制する上ストッパー片（１９）を有し、上ストッパー片（１９）によって上アーム（７）の回転範囲を、その先部を下に向けボディ（５）の側方に沿わせた収納状態からその先部を後方に引き上げる引き上げ状態までの範囲に規制し、上ストッパー片（１９）とボディ（５）との干渉具合を、収納状態では上アーム（７）の後端部から内向きに突出してボディ（５）の後面に上ストッパー片（１９）の前面を沿わせる具合にすると共に、引き上げ状態では上ストッパー片（１９）の一端面をボディ（５）の後面に突き当てる具合とし、上アーム（７）の引き上げ状態を保持する手段として、紐（２０）を上アーム（７）に固定してあり、
軒裏に下から押し当てる下アーム（６）を、上アーム（７）の下方であってボディ（５）の側方外側に対して回転可能に軸止し、ボディ（５）又はボディ（５）に通した梯子用側板との干渉によって下アーム（６）の回転範囲を規制する下ストッパー片（１７）を有し、下ストッパー片（１７）によって下アーム（６）の回転範囲を、その先部を上に向けボディ（５）の側方に沿わせた収納状態から後方に引き下げる引き下げ状態に規制し、下ストッパー片（１７）とボディ（５）との干渉具合を、収納状態では下アーム（６）の後端部から側方内向きに突出してボディ（５）の後面に沿わせる具合にすると共に、引き下げ状態では下ストッパー片（１７）の一端面をボディ（５）又はボディ下側の梯子用側板（２）に突き当てる具合とし、上アーム（７）と下アーム（６）の双方の収納状態ではボディ（５）の側方外面に上アーム（７）と下アーム（６）が重なり合うと共にボディ（５）の後面に上ストッパー片（１９）と下ストッパー片（１７）が重なり合い、引き下げ状態の下アーム（６）を引き上げて軒裏に下から押し当てる手段として、紐（２１）を下アーム（６）に固定してあることを特徴とする梯子安定具。
【請求項２】
梯子用側板（２）の前後面及び側方外面を覆う平面視コ字状のボディ（５）を、側板（２）に対して着脱可能に設け、軒上にかける上アーム（７）の一端部をボディ（５）の側方外側に対して回転可能に軸止し、ボディ（５）との干渉によって上アーム（７）の回転範囲を規制する上ストッパー片（１９）を有し、上ストッパー片（１９）によって上アーム（７）の回転範囲を、その先部を下に向けボディ（５）の側方に沿わせた収納状態からその先部を後方に引き上げる引き上げ状態までの範囲に規制し、上ストッパー片（１９）とボディ（５）との干渉具合を、収納状態では上アーム（７）の後端部から内向きに突出してボディ（５）の後面に上ストッパー片（１９）の前面を沿わせる具合にすると共に、引き上げ状態では上ストッパー片（１９）の一端面をボディ（５）の後面に突き当てる具合とし、上アーム（７）の引き上げ状態を保持する手段として、紐（２０）を上アーム（７）に固定してあり、
ボディ（５）とは別体の平面視コ字状のサブボディ（２３）を有し、梯子用側板（２）の前後面及び側方外面を覆うサブボディ（２３）をボディ（５）の下方で側板（２）に対して着脱可能に設け、軒裏に下から押し当てる下アーム（６）の一端部をサブボディ（２３）の側方外側に対して回転可能に軸止し、ボディ（５）又はボディに通した梯子用側板（２）との干渉によって下アーム（６）の回転範囲を規制する下ストッパー片（１７）を有し、下ストッパー片（１７）によって下アーム（６）の回転範囲を、その先部を上に向けサブボディ（２３）の側方に沿わせた収納状態から後方に引き下げる引き下げ状態に規制し、下ストッパー片（１７）とサブボディ（２３）との干渉具合を、収納状態では下アーム（６）の後端部から側方内向きに突出してサブボディ（２３）の後面に沿わせる具合にすると共に、引き下げ状態では下ストッパー片（１７）の一端面をサブボディ（２３）又はサブボディ下側の梯子用側板（２）に突き当てる具合とし、引き下げ状態の下アーム（６）を引き上げて軒裏に下から押し当てる手段として、紐（２１）を下アーム（６）に固定してあることを特徴とする梯子安定具。
【請求項３】
請求項１又は２記載の梯子安定具において、
上アーム（７）の引き上げ状態を保持する手段として、紐（２０）を上アーム（７）に固定する代わりに、上アーム（７）の軸止のためにボルト・ナット（８，９，１０）を用い、ボルト（８）の締め込みによるボルトとナットの挟持力によって上アーム（７）を回転不能に軸止することを特徴とする梯子安定具。
【発明の詳細な説明】
【技術分野】
【０００１】
本発明は屋根の軒にかけた梯子の上部を安定させるための梯子安定具に関する。
【背景技術】
【０００２】
地面から屋根の軒に梯子をかけた場合、軒に対して梯子は斜めにもたれかかっているだけの不安定な状態なので、梯子を昇っている最中に梯子がしなったり横滑りする危険性がある。
【０００３】
そこで、かかる問題を解決するために、梯子の横桟（ステップ）の両側に横滑り防止具を着脱可能としたものがある（特許文献１）。
【特許文献１】実開昭６４−１１３００号公報
【０００４】
ところが、これは軒付近の横桟の左右に取り付けるという構造上、左右の横滑り防止具の横幅分だけ横桟の足の踏み幅が狭くなり、梯子から屋根上へ昇り降りするには安全とは言い難い。
【発明の開示】
【発明が解決しようとする課題】
【０００５】
本発明は上記実情を考慮して創作されたもので、その目的は、梯子を昇っている最中に梯子がしなったり横滑りする危険を防ぎつつ、さらに、横桟の足の踏み幅をできるだけ広くとることのできる梯子安定具を提供することである。
【課題を解決するための手段】
【０００６】
請求項１の発明は、梯子用側板の前後面及び側方外面を覆う平面視コ字状のボディを、側板に対して着脱可能に設け、軒上にかける上アームの一端部をボディの側方外側に対して回転可能に軸止し、ボディとの干渉によって上アームの回転範囲を規制する上ストッパー片を有し、上ストッパー片によって上アームの回転範囲を、その先部を下に向けボディの側方に沿わせた収納状態からその先部を後方に引き上げる引き上げ状態までの範囲に規制し、上ストッパー片とボディとの干渉具合を、収納状態では上アームの後端部から内向きに突出してボディの後面に上ストッパー片の前面を沿わせる具合にすると共に、引き上げ状態では上ストッパー片の一端面をボディの後面に突き当てる具合とし、上アームの引き上げ状態を保持する手段として、紐を上アームに固定してあり、ボディとは別体の平面視コ字状のサブボディを有し、梯子用側板の前後面及び側方外面を覆うサブボディをボディの下方で側板に対して着脱可能に設け、軒裏に下から押し当てる下アームの一端部をサブボディの側方外側に対して回転可能に軸止し、ボディ又はボディに通した梯子用側板との干渉によって下アームの回転範囲を規制する下ストッパー片を有し、下ストッパー片によって下アームの回転範囲を、その先部を上に向けサブボディの側方に沿わせた収納状態から後方に引き下げる引き下げ状態に規制し、下ストッパー片とサブボディとの干渉具合を、収納状態では下アームの後端部から側方内向きに突出してサブボディの後面に沿わせる具合にすると共に、引き下げ状態では下ストッパー片の一端面をサブボディ又はサブボディ下側の梯子用側板に突き当てる具合とし、引き下げ状態の下アームを引き上げて軒裏に下から押し当てる手段として、紐を下アームに固定してあることを特徴とする。
【０００７】
請求項２の発明は、梯子用側板の前後面及び側方外面を覆う平面視コ字状のボディを、側板に対して着脱可能に設け、軒上にかける上アームの一端部をボディの側方外側に対して回転可能に軸止し、ボディとの干渉によって上アームの回転範囲を規制する上ストッパー片を有し、上ストッパー片によって上アームの回転範囲を、その先部を下に向けボディの側方に沿わせた収納状態からその先部を後方に引き上げる引き上げ状態までの範囲に規制し、上ストッパー片とボディとの干渉具合を、収納状態では上アームの後端部から内向きに突出してボディの後面に上ストッパー片の前面を沿わせる具合にすると共に、引き上げ状態では上ストッパー片の一端面をボディの後面に突き当てる具合とし、上アームの引き上げ状態を保持する手段として、紐を上アームに固定してあり、ボディとは別体の平面視コ字状のサブボディを有し、梯子用側板の前後面及び側方外面を覆うサブボディをボディの下方で側板に対して着脱可能に設け、軒裏に下から押し当てる下アームの一端部をサブボディの側方外側に対して回転可能に軸止し、ボディ又はボディに通した梯子用側板との干渉によって下アームの回転範囲を規制する下ストッパー片を有し、下ストッパー片によって下アームの回転範囲を、その先部を上に向けサブボディの側方に沿わせた収納状態から後方に引き下げる引き下げ状態に規制し、下ストッパー片とサブボディとの干渉具合を、収納状態では下アームの後端部から側方内向き突出してサブボディの後面に沿わせる具合にすると共に、引き下げ状態では下ストッパー片の一端面をサブボディ又はサブボディ下側の梯子用側板に突き当てる具合とし、引き下げ状態の下アームを引き上げて軒裏に下から押し当てる手段として、紐を下アームに固定してあることを特徴とする。
【０００８】
請求項３の発明は、上アームの引き上げ状態を保持する手段として、紐をアームに固定する代わりに、上アームの軸止のためにボルト・ナットを用い、ボルトの締め込みによるボルトとナットの挟持力によって上アームを回転不能に軸止することを特徴とする。
【発明の効果】
【００１０】
請求項１の発明の梯子安定具は、梯子用側板の側方外側に止めるものなので、梯子の横桟の幅を殆ど狭めることなく、それ故、梯子から屋根上へ昇り降りする際に安全である。また、軸止した上アームを紐で引っ張ることによって引き上げ状態を保持できるので、構造的に単純で製造しやすい。さらに、上アーム及び上ストッパー片を収納状態ではボディに沿わせてあるのでコンパクトとなり、取り扱いが容易である。しかも、上アームと下アームで軒の上下を挟む構造となるので梯子安定具の軒への取付具合が安定する。また、軸止した下アームを紐で引っ張ることによって軒裏に押し当てる状態を保持できるので、構造的に単純で製造しやすい。なお、収納状態ではボディに対して上アーム及び下アームが、又、上ストッパー片及び下ストッパー片がそれぞれ重なり合っているのでコンパクトとなり、取り扱いが容易である。
【００１１】
請求項２の発明であれば、ボディとサブボディを梯子用側板に固定する際に、両者の間隔を自由に設定でき、家屋毎に異なる軒の高さ幅に対応できる。
【００１２】
請求項３の発明であれば、ボルトの締め込みによって上アームの引き上げ状態を保持できるので、引き上げ状態を保持する作業が簡単にできる。
【発明を実施するための最良の形態】
【００１４】
梯子１は図１〜図４に示すように左右の側板２，２の間に多数の横桟３を、上下に間隔をあけて架設したものである。各側板２は、側方外向きに開口する平面視コ字状としてある。
【００１５】
梯子安定具４は図１〜図４に示すように側板２の側方外側に止めるボディ５と、ボディ５の側方外面の下部に回転可能に軸止する下アーム６と、下アーム６の外側であって且つボディ５の側方外面の上部に回転可能に軸止する上アーム７を主な部品とする。そして、下部を支点とする下アーム６の回転範囲は、その先部を上に向けボディ５の側面に沿わせて重ね合わせた収納状態から、後方に引き下げる引き下げ状態までの範囲である。一方、上部を支点とする上アーム７の回転範囲は、その先部を下に向けボディ５の側面に沿わせて重ね合わせた状態から、後方に引き上げる引き上げ状態までの範囲である。
【００１６】
ボディ５は梯子用側板２を側方外面及び前後面から覆う一回り大きな平面視コ字状であって、ツマミ付きボルト８と２つのナット９，１０を利用してボディ５の側面外側上部に上アーム７の一端部を回転可能に軸止する。一つのナット９をボディ５と上アーム７の間に介在したのは、上アーム７とボディ５の間に隙間をあけてその隙間を利用して下アーム６を回転可能に支持するためである。一方、ボルト１１とナット１２を利用してボディ５の側面外側下部に下アーム６の一端部を回転可能に軸止する。軸止用の抜穴Ｈを、上アーム用と下アーム用で上下に間隔をあけて複数設けてあるのは、家屋毎に異なる軒先の高さに対応させるためである。また、図５に示すように、ボディ５の前面には上下に間隔をあけてＬ字状の拘束具１４をネジ１５とナット１６で止め、拘束具１４が梯子用側板２の前面から側方内面に向かって屈曲することから、梯子用側板２に対してボディ５を側方（左右）に移動不能に保持すると共に、拘束具１４を止めたネジ１５の先部を梯子用側板２の前面に押し付けてボディ５を梯子用側板２に着脱可能に止めてある。
【００１７】
下アーム６は図２又は図３に示すように、その先部を上に向けボディ５の側面に沿わせて重ね合わせた状態を収納状態とし、収納状態における後端部には、軸止箇所周辺よりも上側の範囲に下ストッパー片１７を、側方内向きに突出してある。下アーム６は図１に示すように先部を後方に向かって引き下げると、下ストッパー片１７の軸止寄りの端面がボディ５の後面に突き当たってほぼ水平の引き下げ状態となる。また、引き下げ状態の下アーム６の先部には、上向きに切り欠いた凹部１８を有し、下アーム６の収納状態では凹部１８に対して上アームの軸止用ナット９が嵌り込んで、下アーム６とボディ５が重なり合ったコンパクトな形態を維持する。
【００１８】
上アーム７は図２又は図３に示すように、その先部を下に向けボディ５の側方（下アーム６の側面）に沿わせて重ね合わせた状態を収納状態とし、収納状態における後端部には軸止箇所周辺よりも下側の範囲に上ストッパー片１９を、側方内向きに突出してある。上アーム７は図１に示すように先部を後方に引き上げると、上ストッパー片１９の軸止寄りの端面がボディ５の後面に干渉して（突き当たって）斜め上向きに傾斜した引き上げ状態となる。軸止用のツマミ付きボルト８を強く締めると、上アーム７が回転不能に保持される。
【００１９】
上アーム７と下アーム６にはそれぞれ軸止箇所の周辺に紐２０，２１の一端部を結んで止めてある。上アーム７に付けた紐２０を下方に引っ張れば、上アーム７の引き上げ状態を保持でき、一方、下アーム６に付けた紐２１を下方に引っ張れば、引き下げ状態の下アーム６を引き上げることができる。
【００２０】
上述した梯子安定具４は以下の要領で使用する。まず、梯子１の上部に固定する場合は、梯子用側板２の側方外側にボディ５をあて、Ｌ字状拘束具１４の一片を梯子用側板２の側方内側に沿わせて、拘束具１４をボディ５にネジ止めし、それによってボディ５を梯子用側板２に固定する。梯子１を屋根にかけずに保管しておく場合は図２に示すように、上・下アーム７，６を収納状態としてコンパクトな形態としておく。また、梯子１を屋根にかける場合は、図１に示すように上アーム７を引き上げ状態とし、下アーム６を引き下げ状態としてから、図４に示すように梯子１を一旦、地面に対してほぼ垂直となる程度にまで起立させる。ここで、上アーム７を引き上げ状態とするには、紐２０を地上から引っ張るか、ツマミ付きボルト８を地上で強く締めることによって行なう。そして、上・下アーム７，６が開いた状態のまま、梯子１の上部を軒２２に倒して上アーム７の下面と軒上の傾斜を合わせ、その後、下アーム６を紐２１で引っ張って引き上げ、下アーム６の上面を軒裏に押し当て、紐２１の先部を梯子等に縛って押し当て状態を保持する。これによって、上・下アーム７，６で軒２２を挟持する形態となって、梯子１を昇降する際の横ズレが防止できる。上・下アーム７，６のピッチを軒２２の高さ幅に合わせるために、上下アーム７，６の軸止用の抜穴Ｈの位置を変更しても良い。
【００２１】
また、図６は、梯子安定具４の別例を示すもので、前例と異なる点は、ボディ５のほかに、ボディ５と同形態であって別体のサブボディ２３を設け、ボディ５には上アーム７を、サブボディ２３には下アーム６をそれぞれ軸止した点である。梯子用側板２にボディ５とサブボディ２３を固定する際に両者の間隔を自由に設定でき、家屋毎に異なる軒の高さ幅に対応できる。また、ボディ５及びサブボディ２３の全高を収納状態時の上アーム７や下アーム６よりも短くしてある。従って、収納状態の上アーム７はボディ５に沿わせた形態ではあるが、上部のみがボディ５に重なり合っている。なお、下アーム６も同様である。
【００２２】
図７は、梯子安定具４のさらに別例を示すもので、軒２２の鼻隠し２４が軒裏よりも垂下している場合であっても軒裏に下アーム６の上面を押し当てるために、下アーム６の上面に鼻隠し２４の下部を収める切除部２５が設けてあることを特徴とする。なお、図７では切除部２５は凹部１８とは別に設けてあるが、切除部２５と凹部１８が一つにまとまったものであっても良い。
【００２３】
なお、本発明は上記実施形態に限定されない。例えば、図面では傾斜する軒に使用してあるが、地面に対して平行（水平）な軒に使用しても良い。
【図面の簡単な説明】
【００２４】
【図１】梯子安定具の一態様を示す斜視図である。
【図２】梯子安定具の収納状態を示す斜視図である。
【図３】梯子安定具の分解図である。
【図４】梯子安定具の使用状態図である。
【図５】梯子用側板への梯子安定具の取付状態を示す断面図である。
【図６】梯子用安定具の別例を示す斜視図である。
【図７】梯子用安定具の別例を示す使用状態図である。
【符号の説明】
【００２５】
２  側板
５  ボディ
６  下アーム
７  上アーム
１７  下ストッパー片
１９  上ストッパー片
２０、２１  紐
２３  サブボディ
【図１】
0004485434.tif 000002
【図２】
0004485434.tif 000003
【図３】
0004485434.tif 000004
【図４】
0004485434.tif 000005
【図５】
0004485434.tif 000006
【図６】
0004485434.tif 000007
【図７】
0004485434.tif 000008